(57)【要約】      （修正有） 【課題】巻き戻ししやすい片面粘着テープ巻物製品を提供する。【解決手段】この片面粘着テープ巻物製品は、テープ状基材２の片面２ａのみに粘着剤層３が設けられている片面粘着テープ１が巻回されてなる。粘着剤層３は、テープ状基材２の片面２ａのみに当接している強粘着剤層３ａと、強粘着剤層３ａ表面に積層されている弱粘着剤層３ｂとの二種の粘着剤層からなる二層構造となっている。弱粘着剤層３ｂは、強粘着剤層３ａに比べて、テープ状基材２に対する接着力が弱くなっている。したがって、この片面粘着テープ１を巻回して巻物製品にすると、弱粘着剤層３ｂが、テープ状基材２の背面２ｂに当接することになる。弱粘着剤層３ｂの背面２ｂに対する接着力と、強粘着剤層３ａの片面２ａに対する接着力は、前者の方が弱いので、巻物製品を巻き戻す際に、粘着剤層３が背面２ｂに転写したり、テープ状基材２が破断することがない。【選択図】図３
0003142132.tif 000002
【実用新案登録請求の範囲】
【請求項１】
テープ状基材の片面のみに粘着剤層が設けられている片面粘着テープが巻回されてなる片面粘着テープ巻物製品において、
前記粘着剤層は、テープ状基材に当接している強粘着剤層と、該強粘着剤層表面に積層されている弱粘着剤層との二種の粘着剤層からなる二層構造となっており、該弱粘着剤層は該強粘着剤層に比べて、テープ状基材に対する接着力が弱いことを特徴とする片面粘着テープ巻物製品。
【請求項２】
粘着剤層が、強粘着剤層、弱粘着剤層、及び該強粘着剤層と該弱粘着剤層の間に設けられている支持体層とからなる三層構造となっている片面粘着テープ巻物製品。
【請求項３】
強粘着剤層が当接しているテープ状基材の片面と、強粘着剤層が当接していないテープ状基材の背面とは、同一の表面状態となっている請求項１又は２記載の片面粘着テープ巻物製品。
【請求項４】
テープ状基材が樹脂発泡体である請求項１乃至３のいずれか一項に記載の片面粘着テープ巻物製品。
【請求項５】
樹脂発泡体が、エチレン−プロピレン−ジエンゴムの発泡体である請求項４記載の片面粘着テープ巻物製品。
【請求項６】
支持体層が不織布層である請求項１乃至５のいずれか一項に記載の片面粘着テープ巻物製品。
【請求項７】
片面粘着テープが止水テープ、防水テープ、気密テープ、断熱テープ、防音テープ又は耐震テープである請求項３乃至６のいずれか一項に記載の片面粘着テープ巻物製品。
【考案の詳細な説明】
【技術分野】
【０００１】
本考案は、テープ状基材の片面のみに粘着剤層を設けた片面粘着テープを巻回してなる片面粘着テープ巻物製品に関するものである。
【背景技術】
【０００２】
片面粘着テープ１は、基材２の片面２ａのみに粘着剤層３が設けられてなるものである（図１）。かかる片面粘着テープ１は、多くの場合、巻芯４に巻回され巻物製品として提供されている（図２）。そして、片面粘着テープ１の使用時には、巻物製品を巻き戻し所望の長さに切断して、接着固定すべき箇所に適用されている。
【０００３】
巻物製品は、片面粘着テープ１が幾重にも積層されており、粘着剤層３は基材２の背面２ｂに当接することになる。粘着剤層３が基材２の背面２ｂと当接すると、粘着剤層３と背面２ｂとが接着して、巻き戻しにくくなるため、粘着剤層３と背面２ｂとの間に、離型紙を挿入することが従来より行われている。すなわち、粘着剤層３の表面に離型紙を積層した状態で、巻回して、片面粘着テープ巻物製品とすることが行われている。しかし、離型紙を使用すると、片面粘着テープ巻物製品を巻き戻して使用する際に、離型紙が廃棄物として生じるし、また離型紙を剥離する必要が生じるため、作業が煩わしくなるという欠点があった。
【０００４】
このため、巻物製品から片面粘着テープ１を巻き戻しやすくするため、基材２の背面２ｂに各種の処理を施して、基材２の背面２ｂに対する粘着剤層３の接着力を弱くすることが行われている。特許文献１には、樹脂発泡体からなる基材２の背面２ｂにシリコーン離型層を設けることが開示されている。特許文献２には、基材２をポリ塩化ビニル系樹脂シートからなる２層構造とし、基材２の背面２ｂに、離型性を備えたポリ塩化ビニル系樹脂シートを配することが開示されている。さらに、特許文献３には、樹脂発泡体からなる基材２の背面２ｂを、背面２ｂ以外の箇所よりも気泡の小さい緻密構造として、背面２ｂに粘着剤層３を転写されにくくすると共に、背面２ｂの強度を向上させて破断しにくくすることが開示されている。
【０００５】
【特許文献１】特開平４−３５９９８０号公報（請求項１）
【特許文献２】２００１−３１６６４４公報（０００８）
【特許文献３】実開昭５８−１０５４５２号のマイクロフィルム（請求項１）
【考案の開示】
【考案が解決しようとする課題】
【０００６】
本考案の課題は、特許文献１〜３と同様に、粘着剤層表面に離型紙を適用することなく、巻き戻ししやすい片面粘着テープ巻物製品を提供することにある。
【０００７】
本考案は、上記課題を解決するために、テープ状基材の背面を処理するのではなく、粘着剤層の構成を工夫したものである。すなわち、本考案は、粘着剤層３を強粘着剤層３ａと弱粘着剤層３ｂの二層構造として、基材２の背面２ｂに当接する粘着剤面を接着力の弱い弱粘着剤層３ｂとし、基材２の片面２ａに当接する粘着剤面を接着力の強い強粘着剤層３ａとして、巻き戻ししやすい片面粘着テープ巻物製品としたものである。
【課題を解決するための手段】
【０００８】
本考案は、テープ状基材２の片面２ａのみに粘着剤層３が設けられている片面粘着テープ１が巻回されてなる片面粘着テープ巻物製品において、前記粘着剤層３は、テープ状基材２の片面２ａに当接している強粘着剤層３ａと、該強粘着剤層３ａ表面に積層されている弱粘着剤層３ｂとの二種の粘着剤層３からなる二層構造となっており、該弱粘着剤層３ｂは該強粘着剤層３ａに比べて、テープ状基材２に対する接着力が弱いことを特徴とする片面粘着テープ巻物製品に関するものである。
【０００９】
本考案に係る片面粘着テープ巻物製品は、テープ状基材２の片面２ａのみに粘着剤層３が設けられている片面粘着テープ１が巻回されてなるものである。片面粘着テープ１は、巻芯４に粘着剤層３が当接するようにして巻回してもよいし、巻芯４にテープ状基材２の背面２ｂが当接するようにして巻回してもよい。
【００１０】
テープ状基材２としては、樹脂発泡体、合成樹脂製フィルム、編織物、紙等の従来公知のものが使用される。本考案は粘着剤層３を二層構造とすることにより、片面粘着テープ巻物製品を巻き戻しやすくするものであるため、テープ状基材２の背面２ｂに、何らかの積極的な離型処理を施す必要はない。したがって、テープ状基材２の片面２ａと背面２ｂとが、同一の表面状態になっていることが好ましい。また、樹脂発泡体としてエチレン−プロピレン−ジエンゴムの発泡体をテープ状基材２に採用すると、本考案に係る片面粘着テープは、パネル外壁等の繋ぎ部や、窓枠等の間隙部に適用する止水テープや防水テープとして好適に用いることができる。
【００１１】
このテープ状基材２の片面２ａのみに粘着剤層３が設けられている。粘着剤層３は、テープ状基材２の片面２ａ全面に設けられており、少なくとも強粘着剤層３ａ及び弱粘着剤層３ｂの二層構造となっている。強粘着剤層３ａは、テープ状基材２の片面２ａに当接するように配されており、弱粘着剤層３ｂは、当該強粘着剤層３ａの表面（すなわち、強粘着剤層３ａがテープ状基材２の片面２ａに当接している面の反対面）に積層一体化されている。したがって、この片面粘着テープ１を巻回して巻物製品にすると、弱粘着剤層３ｂはテープ状基材２の背面に当接する。
【００１２】
本考案において、「強粘着剤層」及び「弱粘着剤層」とは、特定のテープ状基材２に対する接着力の相対的な強弱によって定義されるものである。すなわち、特定のテープ状基材２に対する接着力を測定し、強い接着力を示す層を「強粘着剤層」と定義し、この「強粘着剤層」よりも弱い接着力を示す層を「弱粘着剤層」と定義している。
【００１３】
強粘着剤層及び弱粘着剤層を得るには、たとえば、粘着剤の種類や組成を適宜変更すればよい。具体的には、以下のようなものが挙げられる。強粘着剤層の樹脂としてアクリル系溶剤型樹脂を使用し、弱粘着剤層の樹脂として天然ゴム系樹脂を使用したもの；強粘着剤層の樹脂としてスチレン−ブタジエン系樹脂と天然ゴム系樹脂の混合物を使用し、弱粘着剤層の樹脂として天然ゴム系樹脂を使用したもの；強粘着剤層の樹脂としてアクリル系溶剤型樹脂と架橋剤としてエポキシ樹脂を使用し、弱粘着剤層の樹脂としてアクリル系溶剤型樹脂と架橋剤としてイソシアネート化合物を使用したもの；後記実施例に記載したような強粘着剤層と弱粘着剤層の組み合わせ等が挙げられる。
【００１４】
強粘着剤層３ａと弱粘着剤層３ｂとは、直接当接して積層されていてもよいし、両者の間に、不織布や合成樹脂製フィルム等の支持体層５を介在させて積層されていてもよい。支持体層５としては、多孔質層を採用し、強粘着剤層３ａ及び弱粘着剤層３ｂの両者を浸透させ、支持体層５中で混合しておくのが好ましい。これによって、強粘着剤層３ａと弱粘着剤層３ｂとが強固に積層一体化されるからである。多孔質の支持体層５として、本考案においては不織布を用いるのが好ましい。
【００１５】
本考案に係る片面粘着テープ巻物製品は、巻き戻されて、片面粘着テープ１として使用され、弱粘着剤層３ｂが被着体と接着する機能を持つ。強粘着剤層３ａは、被着体と接着する機能を持たず、テープ状基材２と弱粘着剤層３ｂとを一体化する機能を持つだけである。
【００１６】
本考案に係る片面粘着テープ巻物製品は、従来と同様に文房具用、荷造り用、構造物組み立て用又は絶縁用等の各種用途に用いられる。本考案では、テープ状基材として樹脂発泡体（たとえば、エチレン−プロピレン−ジエンゴムの発泡体）を採用し、構造物を組み立てる際に、繋ぎ部や間隙部からの水の透過を防止する止水テープ又は防水テープとして用いるのが好ましい。さらに、テープ状基材として樹脂発泡体を採用した場合には、空気や熱を遮断するための気密テープ又は断熱テープとして用いることもでき、クッション性があるので防音テープや耐震テープとしても用いることができる。
【考案の効果】
【００１７】
本考案に係る片面粘着テープ巻物製品は、弱粘着剤層がテープ状基材の背面に当接して巻回されており、テープ状基材の片面には強粘着剤層が当接している。したがって、この巻物製品を巻き戻す際に、弱粘着剤層はテープ状基材の背面から離れやすく、強粘着剤層はテープ状基材の片面から離れにくくなっている。よって、テープ状基材の背面に粘着剤層が転写したり、テープ状基材が破断したりすることなく、スムースに巻物製品を巻き戻すことができる。なお、本考案に係る片面粘着テープ巻物製品は、離型紙を使用することなく巻回されているので、使用時に、廃棄物となる離型紙が生じず、また離型紙を剥離する作業が不必要になるので、作業が合理化されることは、言うまでもない。
【実施例】
【００１８】
片面粘着テープは、テープ状基材、強粘着剤層、支持体層及び弱粘着剤層の順に積層されてなるものである。テープ状基材、強粘着剤層、支持体層及び弱粘着剤層の構成は、以下のとおりである。
【００１９】
テープ状基材は、厚さ５ｍｍのエチレン−プロピレン−ジエンゴムの発泡体である。なお、この発泡体の片面と背面とは、同一の表面状態となっている。
【００２０】
強粘着剤層は厚さ６０μｍであり、その成分組成は以下のとおりである。
アクリル系三元共重合体                                １００質量部
ロジン系粘着付与樹脂                                    ２５質量部
（商品名「ペンセルＤ−１３５」荒川化学工業社製）
イソシアネート系硬化剤                                    １質量部
（商品名「コロネートＬ」日本ポリウレタン工業社製）                            なお、アクリル系三元共重合体の単量体組成は以下のとおりである。
アクリル酸ｎ−ブチル                                ９６．８質量部
アクリル酸                                            ３．０質量部
２−ヒドロキシエチルメタクリレート                    ０．２質量部
【００２１】
支持体層は、目付１４ｇ／ｍ2のレーヨン不織布である。
【００２２】
弱粘着剤層は厚さ２０μｍであり、その成分組成は以下のとおりである。
アクリル系四元共重合体                                １００質量部
エポキシ基含有反応性シリコーンオイル                      ７質量部
（商品名「ＫＦ１０１」信越化学工業社製）                                        イソシアネート系硬化剤                                    １質量部
（商品名「コロネートＬ」日本ポリウレタン工業社製）                            なお、アクリル系四元共重合体の単量体組成は以下のとおりである。
アクリル酸ｎ−ブチル                                ７６．８質量部
メタアクリル酸メチル                                ２０．０質量部
アクリル酸                                            ３．０質量部
２−ヒドロキシエチルメタクリレート                    ０．２質量部
【００２３】
上記した片面粘着テープを、巻芯表面にテープ状基材の背面が当接するようにして、巻回して片面粘着テープ巻物製品を得る。したがって、この片面粘着テープ巻物製品は、テープ状基材の背面と弱粘着剤層が当接して、幾重にも巻回されたものである。この片面粘着テープ巻物製品を巻き戻すと、スムースに巻き戻すことができる。
【図面の簡単な説明】
【００２４】
【図１】従来の片面粘着テープの模式的側面図である。
【図２】片面粘着テープ巻物製品の模式的斜視図である。
【図３】本考案の一例に係る片面粘着テープの模式的側面図である。
【図４】本考案の他の例に係る片面粘着テープの模式的側面図である。
【符号の説明】
【００２５】
１      片面粘着テープ
２      テープ状基材
２ａ    テープ状基材の片面
２ｂ    テープ状基材の背面
３      粘着剤層
３ａ    強粘着剤層
３ｂ    弱粘着剤層
４      巻芯
５      支持体層
【図１】
0003142132.tif 000003
【図２】
0003142132.tif 000004
【図３】
0003142132.tif 000005
【図４】
0003142132.tif 000006